【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  順方向リンクデータのデータ成分が複数の周波数帯域で同時に送信される予め定められた周波数チャンネルのセット内で動作し、各帯域は周波数チャンネルを表し、搬送波周波数を有しているマルチ周波数チャンネル基地局において、
マルチチャンネルシステムと単一のチャンネルシステムの中心周波数チャンネルの１つを示している同期チャンネルメッセージを前記予め定められた周波数チャンネルのセットの単一の周波数チャンネルで送信する第１の送信サブシステムと、
前記順方向リンクデータの残りの成分を前記予め定められた周波数チャンネルのセットの別の周波数チャンネルで送信する少なくとも１つの付加的な送信サブシステムとを具備し、
前記中心周波数チャンネルは同期チャンネルメッセージを受信する装置による信号の受信に使用され、３つの隣接した帯域の任意の組合せが前記中心周波数チャンネルを含むように構成された複数の周波数帯域に対応する好ましい周波数チャンネルのセットの１つである基地局。
【請求項２】  前記同期チャンネルメッセージは、前記予め定められた周波数チャンネルのセットの単一のチャンネルシステムを示している請求項１記載の基地局。
【請求項３】  前記同期チャンネルメッセージは好ましい周波数チャンネルのセットの１つで送信され、ここでチャンネル数は前記予め定められた周波数チャンネルのセット中のチャンネル数よりも少ない請求項１記載の基地局。
【請求項４】  前記予め定められた周波数チャンネルのセットは周波数チャンネルのパーソナル通信システムブロックの周波数チャンネルのセットである請求項３記載の基地局。
【請求項５】  好ましい周波数チャンネルのセットのチャンネル番号は75、150、225である請求項６記載の基地局。
【請求項６】  マルチ周波数チャンネル移動局において、
マルチチャンネルシステムと単一のチャンネルシステムの中心周波数チャンネルの１つを示している受信された同期チャンネルメッセージで示される周波数情報にしたがって複数の受信機サブシステムの動作を制御する制御プロセッサと、
単一周波数チャンネルで前記同期チャンネルメッセージを受信し、前記同期チャンネルメッセージを前記制御プロセッサへ与え、マルチチャンネル信号の第１の部分を受信する第１の受信機サブシステムと、
前記マルチチャンネル信号の付加的な部分を受信する少なくとも１つの付加的な受信機サブシステムとを具備し、
前記中心周波数チャンネルは移動局による信号の受信に使用され、３つの隣接した帯域の任意の組合せが前記中心周波数チャンネルを含むように構成された複数の周波数帯域に対応する好ましい周波数チャンネルのセットの１つであるマルチ周波数チャンネル移動局。
【請求項７】  前記制御プロセッサは、単一周波数チャンネルモードまたはマルチ周波数チャンネルモードで動作するか否かを決定し、前記移動局が単一周波数チャンネルモードで動作することを決定したとき、単一チャンネルシステムの受信のために前記同期チャンネルメッセージで示された周波数チャンネルに同調するように前記第１の受信機システムに指令し、前記移動局がマルチ周波数チャンネルモードで動作することを決定したとき、前記少なくとも１つの付加的な周波数チャンネルに同調するように指令する請求項６記載の移動局。
【請求項８】  前記制御プロセッサは好ましい周波数チャンネルの予め定められたセットの１つに同調するように前記第１の受信機サブシステムに指令する請求項８期祭の移動局。
【請求項９】  前記移動局は周波数チャンネルのパーソナル通信システム（ＰＣＳ）セット内で動作しており、好ましい周波数チャンネルの予め定められたセットは周波数チャンネル番号75、150、225からなる請求項８記載の移動局。
【請求項１０】  通信システムで順方向リンクデータのデータ成分を送信する方法において、
マルチチャンネルシステムと単一のチャンネルシステムの中心周波数チャンネルの１つを示している同期チャンネルメッセージを予め定められた周波数チャンネルのセット内の単一の周波数チャンネルで送信し、
前記順方向リンクデータの残りの成分を前記予め定められた周波数チャンネルのセット内の別の周波数チャンネルで送信するステップを含み、
前記中心周波数チャンネルは同期チャンネルメッセージを受信する装置による信号の受信に使用され、３つの隣接した帯域の任意の組合せが中心周波数チャンネルを含むように構成された複数の周波数帯域に対応する好ましい周波数チャンネルのセットの１つである方法。
【請求項１１】  前記同期チャンネルメッセージは好ましい周波数チャンネルのセットの１つで送信され、ここでチャンネル数は前記予め定められた周波数チャンネルのセットのチャンネル数よりも少ない請求項１０記載の方法。
【請求項１２】  前記予め定められた周波数のセットは周波数チャンネルのパーソナル通信システムブロックの周波数チャンネルのセットである請求項１１記載の方法。
【請求項１３】  好ましい周波数チャンネルのセットのチャンネル番号は75、150、225である請求項１２記載の方法。
【請求項１４】  順方向リンクデータのデータ成分を通信システムで受信する方法において、
マルチチャンネルシステムと単一チャンネルシステムの中心周波数チャンネルの１つを示している同期チャンネルメッセージと、マルチチャンネル信号の第１の部分を単一周波数チャンネルで受信し、
前記受信された同期チャンネルメッセージで示される周波数情報にしたがって複数の受信機サブシステムの動作を制御し、
前記マルチ周波数チャンネル信号の付加的な部分を別の周波数チャンネルで受信するステップを含み、
中心周波数チャンネルは信号の受信に使用され、３つの隣接した帯域の任意の組合せが中心周波数チャンネルを含むように構成された複数の周波数帯域に対応する好ましい周波数チャンネルのセットの１つである方法。
【請求項１５】  さらに、単一周波数チャンネルモードまたはマルチ周波数チャンネルモードで動作するか否かを決定し、単一周波数チャンネルモードで動作することを決定したとき、単一周波数チャンネル信号の受信のために前記同期チャンネルメッセージで示された周波数に同調し、マルチ周波数チャンネルモードで動作することを決定したとき、少なくとも１つの付加的な周波数チャンネルに同調するステップを含んでいる請求項１４記載の方法。
【請求項１６】  順方向リンクデータのデータ成分が複数の周波数帯域で同時に送信される予め定められた周波数チャンネルのセット内で動作し、各帯域は周波数チャンネルを表し搬送波周波数を有しているマルチ周波数チャンネル基地局において、
マルチチャンネルシステムと単一のチャンネルシステムの中心周波数チャンネルの１つを示している同期チャンネルメッセージを前記予め定められた周波数チャンネルのセット内の単一の周波数チャンネルで送信する手段と、
前記順方向リンクデータの残りの成分を前記予め定められた周波数チャンネルのセットの別の周波数チャンネルで送信する手段を具備し、
前記中心周波数チャンネルは同期チャンネルメッセージを受信する装置による信号の受信に使用され、３つの隣接した帯域の任意の組合せが前記中心周波数チャンネルを含むように構成された複数の周波数帯域に対応する好ましい周波数チャンネルのセットの１つである基地局。
【請求項１７】  前記同期チャンネルメッセージは好ましい周波数チャンネルのセットの１つで送信され、チャンネル数は前記予め定められた周波数チャンネルのセットのチャンネル数よりも少ない請求項１６記載の基地局。
【請求項１８】  前記予め定められた周波数のセットは周波数チャンネルのパーソナル通信システムブロックの周波数チャンネルのセットである請求項１７記載の基地局。
【請求項１９】  好ましい周波数チャンネルのセットのチャンネル番号は75、150、225である請求項１８記載の基地局。
【請求項２０】  マルチ周波数チャンネル移動局において、
マルチ搬送波システムと単一のチャンネルシステムの中心周波数チャンネルの１つを示している受信された同期チャンネルメッセージで示される周波数情報にしたがって複数の受信機サブシステムの動作を制御する制御手段と、
単一周波数チャンネルで前記同期チャンネルメッセージを受信し、前記同期チャンネルメッセージを前記制御手段へ与え、マルチチャンネル信号の第１の部分を受信する手段と、
前記マルチ周波数チャンネル信号の付加的な部分を別の周波数チャンネルで受信する手段とを具備し、
前記中心周波数チャンネルは信号の受信に使用され、３つの隣接した帯域の任意の組合せが前記中心周波数チャンネルを含むように構成された複数の周波数帯域に対応する好ましい周波数チャンネルのセットの１つであるマルチ周波数チャンネル移動局。
【請求項２１】  前記制御手段は、単一周波数チャンネルモードまたはマルチ周波数チャンネルモードのいずれで動作するかを決定し、前記移動局が単一周波数チャンネルモードで動作することを決定したとき、単一周波数チャンネル信号の受信のために前記同期チャンネルメッセージで示された周波数チャンネルに同調するように前記第１の受信機システムに指令し、前記移動局がマルチ周波数チャンネルモードで動作することを決定したとき、前記少なくとも１つの付加的な受信機サブシステムに少なくとも１つの付加的な周波数チャンネルに同調するように指令する請求項２０記載の移動局。
【請求項２２】  前記制御手段は、好ましい周波数チャンネルの予め定められたセットの１つに同調するように前記第１の受信機システムに指令する請求項２０記載の移動局。
【請求項２３】  前記移動局は周波数チャンネルのパーソナル通信システム（ＰＣＳ）セット内で動作しており、好ましい周波数チャンネルの予め定められたセットは周波数チャンネル番号は75、150、225からなる請求項２０記載の移動局。
【請求項２４】  単一搬送波システムおよびマルチ搬送波システムの少なくとも１つで動作可能な装置において、
同期チャンネルメッセージを含む放送チャンネルデータを含んでいる順方向リンクデータ流へ順方向リンク信号をデマルチプレクスするデマルチプレクサと、
前記デマルチプレクサへ結合され、順方向リンクデータ流の第１の部分を第１の搬送波周波数で送信する第１の送信サブシステムと、
前記デマルチプレクサへ結合され、順方向リンクデータ流の第２の部分を第２の搬送波周波数で送信する第２の送信サブシステムと、
前記デマルチプレクサへ結合され、順方向リンクデータ流の第３の部分を第２の搬送波周波数で送信する第３の送信サブシステムとを具備し、
同期チャンネルメッセージは第１、第２、第３の搬送波周波数のうちの選択された１つで送信するために第１、第２、第３の搬送波周波数のうちの選択された１つによって好ましいチャンネルで送信され、
好ましいチャンネルは同期チャンネルメッセージを受信する装置による信号の受信に使用され、３つの隣接した帯域の任意の組合せが好ましい周波数チャンネルを含むように構成された複数の周波数帯域に対応する好ましい周波数チャンネルのセットの１つである装置。
【請求項２５】
第１の送信サブシステムは、
順方向リンクデータ信号を変調する第１の変調器と、
変調された前記順方向リンクデータ信号を第１の変調器から受信し、変調された順方向リンクデータ信号を第１の搬送波周波数で上方変換し、時間順方向リンクデータ流の第１の部分を第１の搬送波周波数で発生する第１の上方変換器とを具備している請求項２４記載の装置。
【請求項２６】
第２の送信サブシステムは、
順方向リンクデータ信号を変調する第２の変調器と、
変調された前記順方向リンクデータ信号を第２の変調器から受信し、変調された順方向リンクデータ信号を第２の搬送波周波数で上方変換し、順方向リンクデータ流の第２の部分を第２の搬送波周波数で発生する第２の上方変換器とを具備している請求項２５記載の装置。
【請求項２７】
第３の送信サブシステムは、
順方向リンクデータ信号を変調する第３の変調器と、
変調された前記順方向リンクデータ信号を第３の変調器から受信し、変調された順方向リンクデータ信号を第３の搬送波周波数で上方変換し、順方向リンクデータ流の第３の部分を第３の搬送波周波数で発生する第３の上方変換器とを具備している請求項２６記載の装置。
【請求項２８】
順方向リンクデータ流はさらに、
パイロットシンボル流と、
特定の移動局に専用のチャンネルデータと、
共通のチャンネルメッセージとを含んでいる請求項２７記載の装置。
【請求項２９】
共通のチャンネルメッセージは装置のカバー領域内の少なくとも１セットの加入者局へ送信される複数の共通のチャンネルメッセージを含んでいる請求項２８記載の装置。
【請求項３０】
順方向リンクデータ信号を変調する前記第１の変調器は、
パイロットシンボル流を受信し、ウォルシュシーケンスを使用してパイロットシンボル流を拡散する第１のウォルシュスプレッダを具備する請求項２８記載の装置。
【請求項３１】
順方向リンクデータ信号を変調する前記第１の変調器はさらに、
同期チャンネルメッセージを受信し、循環冗長チェック（ＣＲＣ）ビットの第１のセットを生成し、ＣＲＣビットの第１のセットを同期チャンネルメッセージへ添付し、フォーマット化された同期チャンネルメッセージを生成する第１のメッセージフォーマッタと、
フォーマット化された同期チャンネルメッセージを第１の予め定められた順方向エラー補正コード化アルゴリズムによって符号化し、第１の符号化されたシンボルを生成する第１のエンコーダと、
第１の符号化されたシンボルを、第１の予め定められたインターリーブフォーマットによってインターリーブし、第１の再度順序付けされたシンボルを生成する第１のインターリーバと、
第１の再度順序付けされたシンボルを受信し、第１の予め定められたコードシーケンスにしたがって第１の再度順序付けされたシンボルを拡散し、第１のウォルシュ拡散信号を生成する第２のウォルシュスプレッダとを具備している請求項３０記載の装置。
【請求項３２】
順方向リンクデータ信号を変調する前記第２の変調器はさらに、
共通のチャンネルメッセージを受信し、循環冗長チェック（ＣＲＣ）ビットの第２のセットを生成し、そのＣＲＣビットの第２のセットを共通のチャンネルメッセージへ添付し、フォーマット化された同期チャンネルメッセージを生成する第２のメッセージフォーマッタと、
フォーマット化された共通のチャンネルメッセージを第２の予め定められた順方向エラー補正コード化アルゴリズムで符号化し、第２の符号化されたシンボルを生成する第２のエンコーダと、
第２の符号化されたシンボルを、第２の予め定められたインターリーブフォーマットによってインターリーブし、第２の再度順序付けされたシンボルを生成する第２のインターリーバと、
第２の再度順序付けされたシンボルを受信し、第２の予め定められたコードシーケンスにしたがって第２の再度順序付けされたシンボルを拡散し、第２のウォルシュ拡散信号を生成する第３のウォルシュスプレッダとを具備している請求項３１記載の装置。
【請求項３３】
順方向リンクデータ信号を変調する前記第３の変調器はさらに、
専用のチャンネルデータを受信し、循環冗長チェック（ＣＲＣ）ビットの第３のセットを生成し、そのＣＲＣビットの第３のセットを専用のチャンネルデータに添付して、専用のチャンネルデータのフレームを生成する第３のメッセージフォーマッタと、
専用のチャンネルデータのフレームを第３の予め定められた順方向エラー補正コード化アルゴリズムによって符号化して、第３の符号化されたシンボルを生成する第３のエンコーダと、
第３の符号化されたシンボルを、第３の予め定められたインターリーブフォーマットでインターリーブし、第３の再度順序付けされたシンボルを生成する第３のインターリーバと、
第３の再度順序付けされたシンボルを受信し、第３の予め定められたコードシーケンスにしたがって第３の再度順序付けされたシンボルを拡散し、第３のウォルシュ拡散信号を生成する第４のウォルシュスプレッダとを具備している請求項３２記載の装置。
【請求項３４】
さらに、ウォルシュ拡散パイロットシンボル流、第１のウォルシュ拡散信号、第２のウォルシュ拡散信号および第３のウォルシュ拡散信号を２つの別々に発生された擬似雑音（ＰＮ）シーケンスによりデスプレッドし、複素数ＰＮスプレッドデータを生成する複素数ＰＮデスプレッダと、
複素数ＰＮ拡散データを受信し、複素数ＰＮ拡散データを上方変換し、濾波し、増幅する送信機とを具備している請求項３２記載の装置。
【請求項３５】
好ましい周波数チャンネルのチャンネル番号は75、150、225の少なくとも１つを含んでいる請求項２４記載の装置。
【請求項３６】
同期チャンネルメッセージは第１、第２、第３の変調器のうちの選択された１つによってのみ送信される請求項３５記載の装置。
【請求項３７】
マルチ搬送波システムは３つの隣接した帯域の任意の組合せが好ましいチャンネルを含むように構成された複数の帯域を有し、同期チャンネルメッセージは周波数の現在の帯域中にマルチ搬送波システムの中心周波数が存在するならば、それを示す請求項３６記載の装置。
【請求項３８】
同期チャンネルメッセージは周波数帯域の現在のセット中に単一の搬送波システムの周波数が存在するならば、それを示す請求項３７記載の装置。
【請求項３９】
同期チャンネルメッセージは特有の第１の予め定められたコードシーケンスにより拡散されることによって、情報の他のチャンネルから弁別される請求項２４記載の装置。